【手続補正書】
【提出日】令和2年3月17日(2020.3.17)
【手続補正１】
【補正対象書類名】明細書
【補正対象項目名】０１５０
【補正方法】変更
【補正の内容】
【０１５０】
様々な実施例が記載されている。これら及び他の実施例は、以下の特許請求の範囲内にある。以下、本発明の実施形態の例を列記する。
［１］
外科用流体を熱処理するためのシステムであって、前記システムは、
外科用流体を受容及び保持するように構成されたボウル（basin）と、
前記ボウルに熱的に結合され、前記ボウル内の前記外科用流体の温度を調節するように構成された熱処理デバイスと、
前記ボウル内の外科用流体の体積に関する体積情報を得るように位置付けられた体積測定デバイスと、
処置中に前記ボウル内の前記外科用流体の体積に関する体積測定情報を前記体積測定デバイスから受信し、前記処置中に前記ボウルから除去された前記外科用流体の体積を決定するように構成されたコントローラと、を備える、システム。
［２］
前記コントローラは、前記ボウル内の前記外科用流体の体積の増加を示す体積測定情報を前記体積測定デバイスから受信し、ユーザからの入力なしに、前記外科用流体の体積の増加が前記ボウルに追加された新鮮な外科用流体であることを決定するように構成されている、項目１及び３〜３１のいずれか１項に記載のシステム。
［３］
ユーザインターフェースをさらに含み、
前記コントローラは、前記ユーザインターフェースを介して、前記処置中に外科用流体が前記ボウルに追加されるという少なくとも１つの指示を受信することと、
前記受信された体積測定情報及び前記受信された少なくとも１つの指示に基づいて、前記処置中に前記ボウルから除去された前記外科用流体の体積を決定することと、を行うように構成されている、項目１、２及び４〜３１のいずれか１項に記載のシステム。
［４］
前記少なくとも１つの指示は、ユーザが新鮮な外科用流体を前記ボウルに追加しようとしているという指示であり、前記コントローラは、ユーザからの入力なしに、前記ユーザがいつ前記新鮮な外科用流体を前記ボウルに追加し終えるかを決定するように構成されている、項目１〜３及び５〜３１のいずれか１項に記載のシステム。
［５］
前記コントローラは、少なくとも、
前記ユーザインターフェースを介して、前記ユーザが前記外科用流体を前記ボウルに追加する予定であるという第１の指示を受信することと、
前記ユーザインターフェースを介して受信された前記第１の指示に続いて、前記体積測定デバイスから、前記ボウルに入れられた前記外科用流体の体積に関する体積測定情報を受信することと、
タイマの期限切れ時にまたは前記ユーザインターフェースを介してのいずれかで、前記ユーザが前記外科用流体を前記ボウルに追加し終えたことを示す第２の指示を受信することと、
前記第１の指示の受信と前記第２の指示の受信との間に前記ボウルに追加された前記外科用流体の体積を決定することと、
前記処置中の測定時間に体積測定情報を前記体積測定デバイスから受信し、その情報から、前記測定時間における前記ボウル内の前記外科用流体の体積を確立することと、
前記ボウルに追加された前記外科用流体の体積と前記測定時間における前記外科用流体の体積との間の差を決定することと、によって、前記処置中に使用された前記外科用流体の体積を決定するように構成されている、項目１〜４及び６〜３１のいずれか１項に記載のシステム。
［６］
前記ユーザインターフェースは、ボタン及び足で作動可能なペダルのうちの少なくとも一方を含み、前記ユーザインターフェースを介して前記第１の指示を受信することは、前記ユーザが１回目に前記ボタンまたは足で作動可能なペダルを押すことを含み、前記ユーザインターフェースを介して前記第２の指示を受信することは、前記ユーザが２回目に前記ボタンまたは足で作動可能なペダルを押すことを含む、項目１〜５及び７〜３１のいずれか１項に記載のシステム。
［７］
前記ユーザインターフェースは、第１のユーザ入力を含み、非流体成分を前記ボウルに追加することまたは前記非流体成分を前記ボウルから除去することを選択的に行うように前記ユーザによって操作可能な第２のユーザ入力をさらに含む、項目１〜６及び８〜３１のいずれか１項に記載のシステム。
［８］
前記コントローラは、前記第２のユーザ入力を介して入力された、前記処置中に前記非流体成分が前記ボウルに追加されるまたは前記ボウルから除去されるという少なくとも１つの指示を受信し、前記受信された体積測定情報及び前記第２のユーザ入力を介して前記受信された少なくとも１つの指示に基づいて、前記処置中に使用された前記外科用流体の体積を決定するようにさらに構成されている、項目１〜７及び９〜３１のいずれか１項に記載のシステム。
［９］
前記コントローラは、少なくとも、
前記ボウル内の前記外科用流体の体積に関する体積測定情報を前記体積測定デバイスから受信することと、
前記第２のユーザ入力を介して、前記ユーザが前記非流体成分を前記ボウルに追加するまたは除去する予定であるという第１の指示を受信することと、
前記第２のユーザ入力を介して、前記ユーザが前記非流体成分を前記ボウルに追加または除去し終えたという第２の指示を受信することと、
前記第２の指示を受信することに続いて、前記非流体成分を追加または除去した後の前記ボウル内の前記外科用流体の体積に関する体積測定情報を前記体積測定デバイスから受信することと、
前記第１の指示の受信と前記第２の指示の受信との間に前記体積測定デバイスによって測定された前記外科用流体の体積の変化を無視することと、によって、前記処置中に使用された前記外科用流体の体積を決定するように構成されている、項目１〜８及び１０〜３１のいずれか１項に記載のシステム。
［１０］
前記第２のユーザ入力は、ボタン及び足で作動可能なペダルのうちの少なくとも一方を含み、前記第２のユーザ入力を介して前記第１の指示を受信することは、前記ユーザが１回目に前記第２のユーザ入力を押すことを含み、前記第２のユーザ入力を介して前記第２の指示を受信することは、前記ユーザが２回目に前記ユーザ入力を押すことを含む、項目１〜９及び１１〜３１のいずれか１項に記載のシステム。
［１１］
前記体積測定デバイスは、流量計、前記ボウル内の前記外科用流体の体積に基づき位置が変化する浮き、ならびに前記ボウル及びその中の任意の内容物の重量を測定するように構成された計量デバイスのうちの１つを含む、項目１〜１０及び１２〜３１のいずれか１項に記載のシステム。
［１２］
前記体積測定デバイスは、前記計量デバイスであり、前記計量デバイスは、前記ボウルの下に位置付けられた１つ以上のロードセルを含む、項目１〜１１及び１３〜３１のいずれか１項に記載のシステム。
［１３］
前記熱処理デバイスはヒータを含む、項目１〜１２及び１４〜３１のいずれか１項に記載のシステム。
［１４］
前記ヒータは、前記ボウルの周りに巻き付けられたフィルムヒータを含む、項目１〜１３及び１５〜３１のいずれか１項に記載のシステム。
［１５］
前記ユーザインターフェースは、前記ボウル内の前記外科用流体の目標温度を調節する指示を前記ユーザから受信するように構成された温度制御をさらに含む、項目１〜１４及び１６〜３１のいずれか１項に記載のシステム。
［１６］
前記ボウル及びその中の任意の外科用流体の前記温度を測定するように構成された温度センサをさらに含む、項目１〜１５及び１７〜３１のいずれか１項に記載のシステム。
［１７］
前記コントローラは、
温度測定情報を前記温度センサから受信することと、
前記受信された温度測定情報をメモリに記憶された温度プロファイルと比較することと、
前記受信された温度測定情報が、前記メモリに記憶された前記温度プロファイルから閾値量よりも大きく逸脱している場合、前記熱処理デバイスの動作を終了することと、を行うようにさらに構成されている、項目１〜１６及び１８〜３１のいずれか１項に記載のシステム。
［１８］
外科用ドレープの機械可読タグ上に含まれる情報を読み取るように構成された非接触リーダをさらに含む、項目１〜１７及び１９〜３１のいずれか１項に記載のシステム。
［１９］
前記コントローラは、
前記機械可読タグから読み取った識別情報をメモリに記憶された認証情報と比較することと、
前記識別情報が前記認証情報と一致しない場合、前記熱処理デバイスの動作を禁止することと、を行うように構成されている、項目１〜１８及び２０〜３１のいずれか１項に記載のシステム。
［２０］
前記非接触リーダは、無線周波数識別（ＲＦＩＤ）リーダまたは近距離無線通信（ＮＦＣ）リーダのうちの少なくとも一方を含む、項目１〜１９及び２１〜３１のいずれか１項に記載のシステム。
［２１］
前記ボウルに位置付けられ、前記ボウルに実質的に適合する外科用ドレープをさらに含み、前記外科用ドレープが、滅菌野を非滅菌野から隔離する滅菌バリアを形成する、項目１〜２０及び２２〜３１のいずれか１項に記載のシステム。
［２２］
基部をさらに含み、前記ボウルは、前記基部によって支持される、項目１〜２１及び２３〜３１のいずれか１項に記載のシステム。
［２３］
前記基部は、車輪上に装着されている、項目１〜２２及び２４〜３１のいずれか１項に記載のシステム。
［２４］
前記ボウルは、前記基部の垂直上方にある、項目１〜２３及び２５〜３１のいずれか１項に記載のシステム。
［２５］
前記基部に対する前記ボウルの高さを調節するように動作可能な高さ調節機構をさらに含む、項目１〜２４及び２６〜３１のいずれか１項に記載のシステム。
［２６］
前記高さ調節機構は、ピストン、及び前記ピストンの位置を制御するように動作可能な調節レバーを含む、項目１〜２５及び２７〜３１のいずれか１項に記載のシステム。
［２７］
周りに巻き付けられる電源コードを受容するように構成された一対の長手方向に離間したフックをさらに含む、項目１〜２６及び２８〜３１のいずれか１項に記載のシステム。
［２８］
前記ボウルは、基部、及び前記基部から離れて垂直に上向きに延在する傾斜側壁を含み、前記基部及び傾斜側壁は、前記外科用流体を受容及び保持する開放頂面を有する境界が付けられた空洞を集合的に形成する、項目１〜２７及び２９〜３１のいずれか１項に記載のシステム。
［２９］
前記ユーザインターフェースは、前記ボウルの外面に装着されている、項目１〜２８、３０、及び３１のいずれか１項に記載のシステム。
［３０］
前記ユーザインターフェースは、前記ボウルの片側に装着された第１のディスプレイを含み、前記ボウルの反対側に装着された第２のディスプレイをさらに含む、項目１〜２９及び３１のいずれか１項に記載のシステム。
［３１］
前記ユーザインターフェースは、ユーザによって物理的、可聴的、または光学的に関与されるように構成されている、項目１〜３０のいずれか１項に記載のシステム。
［３２］
物質を熱処理するためのデバイス上のユーザインターフェースに関与して、それにより、物質が前記デバイスに追加されることを前記デバイスに通知することと、
前記物質を前記デバイスのボウルに追加することと、
前記デバイスの前記ユーザインターフェースに関与して、それにより、前記物質が前記デバイスに追加されたことを前記デバイスに通知することと、
物質を前記ボウルから除去することと、
前記デバイスによって、前記ボウルから除去された物質の体積を表示することと、を含む、方法。
［３３］
前記デバイスの前記ユーザインターフェースに関与して、それにより、非流体成分が前記ボウルに追加されるまたは前記ボウルから除去されることを前記デバイスに通知することと、
前記非流体成分を前記ボウルに追加するまたは前記非流体成分を前記ボウルから除去することと、
前記デバイスの前記ユーザインターフェースに関与して、それにより、前記非流体成分が前記ボウルに追加されたまたは前記ボウルから除去されたことを前記デバイスに通知することと、をさらに含む、項目３２及び３４〜４５のいずれか１項に記載の方法。
［３４］
前記ボウル内の前記物質の温度を調節することをさらに含む、項目３２、３３、及び３５〜４５のいずれか１項に記載の方法。
［３５］
前記温度の調節は、前記ボウル内の前記物質を加熱することを含む、項目３２〜３４及び３６〜４５のいずれか１項に記載の方法。
［３６］
前記デバイス上の温度制御に関与して、それにより、前記物質が調節される目標温度を調節することをさらに含む、項目３２〜３５及び３７〜４５のいずれか１項に記載の方法。
［３７］
前記物質の一部分を前記ボウルから除去し、前記物質を、医療処置を受けている患者の中に導入することをさらに含む、項目３２〜３６及び３８〜４５のいずれか１項に記載の方法。
［３８］
前記デバイスによって、前記医療処置中に前記ボウルから除去された前記物質の量を表示することをさらに含む、項目３２〜３７及び３９〜４５のいずれか１項に記載の方法。
［３９］
前記物質の量を表示することは、前記物質の体積を表示することを含む、項目３２〜３８及び４０〜４５のいずれか１項に記載の方法。
［４０］
ボタンに関与して、前記物質の体積を表示することから、前記物質の重量を表示することへと切り替えることをさらに含む、項目３２〜３９及び４１〜４５のいずれか１項に記載の方法。
［４１］
前記第１の操作可能なユーザ入力に関与すること及び前記第２の操作可能なユーザ入力に関与することは、タッチスクリーンディスプレイを押すこと、前記デバイスの筐体上のボタンを押すこと、及び前記デバイス上のフットペダルを作動することのうちの少なくとも１つを含む、項目３２〜４０及び４２〜４５のいずれか１項に記載の方法。
［４２］
ドレープを前記ボウルの中に挿入することをさらに含む、項目３２〜４１及び４３〜４５のいずれか１項に記載の方法。
［４３］
前記ドレープを挿入することは、前記ドレープによって担持される機械可読タグを前記デバイスの非接触リーダにかざして位置付けることを含む、項目３２〜４２、４４、及び４５のいずれか１項に記載の方法。
［４４］
前記機械可読タグは、無線周波数識別（ＲＦＩＤ）タグ及び近距離無線通信（ＮＦＣ）タグのうちの一方を含む、項目３２〜４３及び４５のいずれか１項に記載の方法。
［４５］
前記デバイスの高さ調節機構を起動し、それにより、前記ボウルの高さを調節することをさらに含む、項目３２〜４４のいずれか１項に記載の方法。
［４６］
外科用流体を加熱するためのシステムであって、前記システムは、
車輪上に装着されている基部と、
前記基部によって支持され、その垂直上方にあるボウルであって、外科用流体を受容及び保持するように構成されている、ボウルと、
前記ボウルに熱的に結合され、前記ボウル内の前記外科用流体の温度を上昇させるように構成されたヒータと、
前記ボウル及びその中の任意の内容物の重量に関する重量情報を得るように位置付けられた計量デバイスと、
外科用流体が前記ボウルに追加されるというユーザ指示を受信するように構成されたユーザインターフェースと、
前記重量測定デバイスから、処置の過程中の前記ボウル内の前記外科用流体の重量に関する重量測定情報を受信し、前記ユーザインターフェースを介して、前記処置中に外科用流体が前記ボウルに追加されるという少なくとも１つの指示を受信し、かつ前記受信された重量測定情報及び前記受信された少なくとも１つの指示に基づき、前記ボウルから除去された外科用流体の体積を決定するように構成された、コントローラと、を備える、システム。
［４７］
前記コントローラは、少なくとも、
前記ユーザインターフェースを介して、前記ユーザが前記外科用流体を前記ボウルに追加する予定であるという第１の指示を受信することと、
前記ユーザインターフェースを介して受信された前記第１の指示に続いて、前記重量測定デバイスから、前記ボウルに入れられた前記外科用流体の重量に関する重量測定情報を受信することと、
タイマの期限切れ時にまたは前記ユーザインターフェースを介してのいずれかで、前記ユーザが前記外科用流体を前記ボウルに追加し終えたことを示す第２の指示を受信することと、
前記第１の指示の受信と前記第２の指示の受信との間に前記外科用ボウルに追加された前記外科用流体の重量を決定することと、
前記処置中の測定時間に重量測定情報を前記重量測定デバイスから受信し、その情報から、前記測定時間における前記ボウル内の前記外科用流体の重量を確立することと、
前記ボウルに追加された前記外科用流体の重量と前記測定時間における前記外科用流体の重量との間の差を決定することと、
前記外科用流体の前記決定された重量差及び密度に基づいて、除去された前記外科用流体の体積を決定することと、によって、前記処置中に使用された前記外科用流体の体積を決定するように構成されている、項目４６及び４８〜５７のいずれか１項に記載のシステム。
［４８］
前記ユーザ入力は、第１のユーザ入力を含み、医療ツールを前記ボウルに追加することまたは前記医療ツールを前記ボウルから除去することを選択的に行うようにユーザによって関与可能な第２のユーザ入力をさらに含む、項目４６、４７、及び４９〜５７のいずれか１項に記載のシステム。
［４９］
前記第１のユーザ入力及び前記第２のユーザ入力は各々、タッチスクリーンディスプレイの接触エリア、筐体上のボタン、及びフットペダルのうちの少なくとも１つを含む、項目４６〜４８及び５０〜５７のいずれか１項に記載のシステム。
［５０］
前記コントローラは、少なくとも、
前記ボウル及びその中の任意の内容物の重量に関する重量測定情報を前記重量測定デバイスから受信することと、
前記ユーザインターフェースを介して、前記ユーザが医療ツールを前記ボウルに追加するまたは前記医療ツールを前記ボウルから除去する予定であるという第１の指示を受信することと、
前記ユーザインターフェースを介して、前記ユーザが医療ツールを前記ボウルに追加し終えたまたは前記医療ツールを前記ボウルから除去し終えたという第２の指示を受信することと、
前記第２の指示を受信することに続いて、前記ボウル及びその中の任意の内容物の重量に関する重量測定情報を前記重量測定デバイスから受信することと、
前記第２の指示を受信した後に受信された前記重量測定情報を調節して、前記医療ツールを前記ボウルに追加するまたは前記医療ツールを前記ボウルから除去することによって引き起こされた重量変化を打ち消すことと、によって、前記処置中に使用された前記外科用流体の体積を決定するように構成されている、項目４６〜４９及び５１〜５７のいずれか１項に記載のシステム。
［５１］
前記コントローラは、少なくとも、外科用流体をその中に含む前記ボウルの初期重量と、医療流体をその中に含む前記ボウルの測定時間における前記重量との間の差を決定することと、前記決定された重量差及び前記コントローラと関連付けられたメモリに記憶された前記外科用流体の密度に基づいて、使用された前記外科用流体の体積を決定することと、によって、前記処置中に使用された前記外科用流体の体積を決定するようにさらに構成されている、項目４６〜５０及び５２〜５７のいずれか１項に記載のシステム。
［５２］
前記ヒータは、前記ボウルと熱的に連通して位置付けられたフィルムヒータを含む、項目４６〜５１及び５３〜５７のいずれか１項に記載のシステム。
［５３］
外科用ドレープの機械可読タグ上に含まれる情報を読み取るように構成された非接触リーダをさらに含む、項目４６〜５２及び５４〜５７のいずれか１項に記載のシステム。
［５４］
前記非接触リーダは、無線周波数識別（ＲＦＩＤ）リーダまたは近距離無線通信（ＮＦＣ）リーダのうちの少なくとも一方を含む、項目４６〜５３及び５５〜５７のいずれか１項に記載のシステム。
［５５］
前記ボウルに位置付けられ、前記ボウルに実質的に適合する外科用ドレープをさらに含み、前記外科用ドレープが、滅菌野を非滅菌野から隔離する滅菌バリアを形成し、前記ドレープがＲＦＩＤタグ及びＮＦＣタグのうちの一方を含む、項目４６〜５４、５６、及び５７のいずれか１項に記載のシステム。
［５６］
前記基部に対する前記ボウルの高さを調節するように動作可能な高さ調節機構をさらに含む、項目４６〜５５及び５７のいずれか１項に記載のシステム。
［５７］
前記ユーザインターフェースは、前記ボウルの片側に装着された第１のディスプレイを含み、前記ボウルの反対側に装着された第２のディスプレイをさらに含む、項目４６〜５７のいずれか１項に記載のシステム。
【手続補正２】
【補正対象書類名】特許請求の範囲
【補正対象項目名】全文
【補正方法】変更
【補正の内容】
【特許請求の範囲】
【請求項１】
外科用流体を熱処理するためのシステムであって、前記システムは、
外科用流体を受容及び保持するように構成されたボウル（basin）と、
前記ボウルに熱的に結合され、前記ボウル内の前記外科用流体の温度を調節するように構成された熱処理デバイスと、
前記ボウル内の外科用流体の体積に関する体積情報を得るように位置付けられた体積測定デバイスと、
処置中に前記ボウル内の前記外科用流体の体積に関する体積測定情報を前記体積測定デバイスから受信し、前記処置中に前記ボウルから除去された前記外科用流体の体積を決定するように構成されたコントローラと、を備える、システム。
【請求項２】
前記コントローラは、前記ボウル内の前記外科用流体の体積の増加を示す体積測定情報を前記体積測定デバイスから受信し、ユーザからの入力なしに、前記外科用流体の体積の増加が前記ボウルに追加された新鮮な外科用流体であることを決定するように構成されている、請求項１に記載のシステム。
【請求項３】
ユーザインターフェースをさらに含み、
前記コントローラは、前記ユーザインターフェースを介して、前記処置中に外科用流体が前記ボウルに追加されるという少なくとも１つの指示を受信することと、
前記受信された体積測定情報及び前記受信された少なくとも１つの指示に基づいて、前記処置中に前記ボウルから除去された前記外科用流体の体積を決定することと、を行うように構成されている、請求項１又は２に記載のシステム。
【請求項４】
前記少なくとも１つの指示は、ユーザが新鮮な外科用流体を前記ボウルに追加しようとしているという指示であり、前記コントローラは、ユーザからの入力なしに、前記ユーザがいつ前記新鮮な外科用流体を前記ボウルに追加し終えるかを決定するように構成されている、請求項３に記載のシステム。
【請求項５】
前記コントローラは、少なくとも、
前記ユーザインターフェースを介して、前記ユーザが前記外科用流体を前記ボウルに追加する予定であるという第１の指示を受信することと、
前記ユーザインターフェースを介して受信された前記第１の指示に続いて、前記体積測定デバイスから、前記ボウルに入れられた前記外科用流体の体積に関する体積測定情報を受信することと、
タイマの期限切れ時にまたは前記ユーザインターフェースを介してのいずれかで、前記ユーザが前記外科用流体を前記ボウルに追加し終えたことを示す第２の指示を受信することと、
前記第１の指示の受信と前記第２の指示の受信との間に前記ボウルに追加された前記外科用流体の体積を決定することと、
前記処置中の測定時間に体積測定情報を前記体積測定デバイスから受信し、その情報から、前記測定時間における前記ボウル内の前記外科用流体の体積を確立することと、
前記ボウルに追加された前記外科用流体の体積と前記測定時間における前記外科用流体の体積との間の差を決定することと、によって、前記処置中に前記ボウルから除去された前記外科用流体の体積を決定するように構成されている、請求項１〜４のいずれか１項に記載のシステム。
【請求項６】
前記ユーザインターフェースは、第１のユーザ入力を含み、非流体成分を前記ボウルに追加することまたは前記非流体成分を前記ボウルから除去することを選択的に行うように前記ユーザによって操作可能な第２のユーザ入力をさらに含む、請求項３〜５のいずれか１項に記載のシステム。
【請求項７】
前記コントローラは、前記第２のユーザ入力を介して入力された、前記処置中に前記非流体成分が前記ボウルに追加されるまたは前記ボウルから除去されるという少なくとも１つの指示を受信し、前記受信された体積測定情報及び前記第２のユーザ入力を介して前記受信された少なくとも１つの指示に基づいて、前記処置中に使用された前記外科用流体の体積を決定するようにさらに構成されており、
前記コントローラは、少なくとも、
前記ボウル内の前記外科用流体の体積に関する体積測定情報を前記体積測定デバイスから受信することと、
前記第２のユーザ入力を介して、前記ユーザが前記非流体成分を前記ボウルに追加するまたは除去する予定であるという第１の指示を受信することと、
前記第２のユーザ入力を介して、前記ユーザが前記非流体成分を前記ボウルに追加または除去し終えたという第２の指示を受信することと、
前記第２の指示を受信することに続いて、前記非流体成分を追加または除去した後の前記ボウル内の前記外科用流体の体積に関する体積測定情報を前記体積測定デバイスから受信することと、
前記第１の指示の受信と前記第２の指示の受信との間に前記体積測定デバイスによって測定された前記外科用流体の体積の変化を無視することと、によって、前記処置中に使用された前記外科用流体の体積を決定するように構成されている、請求項６のいずれか１項に記載のシステム。
【請求項８】
前記第２のユーザ入力は、ボタン及び足で作動可能なペダルのうちの少なくとも一方を含み、前記第２のユーザ入力を介して前記第１の指示を受信することは、前記ユーザが１回目に前記第２のユーザ入力を押すことを含み、前記第２のユーザ入力を介して前記第２の指示を受信することは、前記ユーザが２回目に前記ユーザ入力を押すことを含む、請求項６又は７に記載のシステム。
【請求項９】
前記体積測定デバイスは、流量計、前記ボウル内の前記外科用流体の体積に基づき位置が変化する浮き、ならびに前記ボウル及びその中の任意の内容物の重量を測定するように構成された計量デバイスのうちの１つを含む、請求項１〜８のいずれか１項に記載のシステム。
【請求項１０】
前記熱処理デバイスはヒータを含む、請求項１〜９のいずれか１項に記載のシステム。
【請求項１１】
前記ボウル及びその中の任意の外科用流体の前記温度を測定するように構成された温度センサをさらに含む、請求項１〜１０のいずれか１項に記載のシステム。
【請求項１２】
前記コントローラは、
温度測定情報を前記温度センサから受信することと、
前記受信された温度測定情報をメモリに記憶された温度プロファイルと比較することと、
前記受信された温度測定情報が、前記メモリに記憶された前記温度プロファイルから閾値量よりも大きく逸脱している場合、前記熱処理デバイスの動作を終了することと、を行うようにさらに構成されている、請求項１１に記載のシステム。
【請求項１３】
外科用ドレープの機械可読タグ上に含まれる情報を読み取るように構成された非接触リーダをさらに含み、前記コントローラは、
前記機械可読タグから読み取った識別情報をメモリに記憶された認証情報と比較することと、
前記識別情報が前記認証情報と一致しない場合、前記熱処理デバイスの動作を禁止することと、を行うように構成されている、請求項１〜１２のいずれか１項に記載のシステム。
【請求項１４】
前記ボウルに位置付けられ、前記ボウルに実質的に適合する外科用ドレープをさらに含み、前記外科用ドレープが、滅菌野を非滅菌野から隔離する滅菌バリアを形成する、請求項１〜１３に記載のシステム。
【請求項１５】
基部をさらに含み、前記ボウルは、前記基部によって支持され、
前記ボウルは、基部、及び前記基部から離れて垂直に上向きに延在する傾斜側壁を含み、前記基部及び傾斜側壁は、前記外科用流体を受容及び保持する開放頂面を有する境界が付けられた空洞を集合的に形成する、請求項１〜１４のいずれか１項に記載のシステム。
【請求項１６】
ユーザインターフェースを更に含み、前記ユーザインターフェースは、前記ボウルの外面に装着されており、前記ユーザインターフェースは、ユーザによって物理的、可聴的、または光学的に関与されるように構成されている、請求項１５に記載のシステム。
【請求項１７】
物質を熱処理するためのデバイス上のユーザインターフェースに関与して、それにより、物質が前記デバイスに追加されることを前記デバイスに通知することと、
前記物質を前記デバイスのボウルに追加することと、
前記デバイスの前記ユーザインターフェースに関与して、それにより、前記物質が前記デバイスに追加されたことを前記デバイスに通知することと、
物質を前記ボウルから除去することと、
前記デバイスによって、前記ボウルから除去された物質の体積を表示することと、を含む、方法。
【請求項１８】
前記デバイスの前記ユーザインターフェースに関与して、それにより、非流体成分が前記ボウルに追加されるまたは前記ボウルから除去されることを前記デバイスに通知することと、
前記非流体成分を前記ボウルに追加するまたは前記非流体成分を前記ボウルから除去することと、
前記デバイスの前記ユーザインターフェースに関与して、それにより、前記非流体成分が前記ボウルに追加されたまたは前記ボウルから除去されたことを前記デバイスに通知することと、をさらに含む、請求項１７に記載の方法。
【請求項１９】
前記ボウル内の前記物質の温度を調節することをさらに含み、前記温度の調節は、前記ボウル内の前記物質を加熱することを含む、請求項１７又は１８に記載の方法。
【請求項２０】
前記デバイスによって、前記医療処置中に前記ボウルから除去された前記物質の量を表示することをさらに含む、請求項１７〜１９のいずれか１項に記載の方法。
【請求項２１】
ドレープを前記ボウルの中に挿入することをさらに含み、前記ドレープを挿入することは、前記ドレープによって担持される機械可読タグを前記デバイスの非接触リーダにかざして位置付けることを含み、前記機械可読タグは、無線周波数識別（ＲＦＩＤ）タグ及び近距離無線通信（ＮＦＣ）タグのうちの一方を含む、請求項１７〜２０のいずれか１項に記載の方法。
【請求項２２】
外科用流体を加熱するためのシステムであって、前記システムは、
車輪上に装着されている基部と、
前記基部によって支持され、その垂直上方にあるボウルであって、外科用流体を受容及び保持するように構成されている、ボウルと、
前記ボウルに熱的に結合され、前記ボウル内の前記外科用流体の温度を上昇させるように構成されたヒータと、
前記ボウル及びその中の任意の内容物の重量に関する重量情報を得るように位置付けられた計量デバイスと、
外科用流体が前記ボウルに追加されるというユーザ指示を受信するように構成されたユーザインターフェースと、
前記重量測定デバイスから、処置の過程中の前記ボウル内の前記外科用流体の重量に関する重量測定情報を受信し、前記ユーザインターフェースを介して、前記処置中に外科用流体が前記ボウルに追加されるという少なくとも１つの指示を受信し、かつ前記受信された重量測定情報及び前記受信された少なくとも１つの指示に基づき、前記ボウルから除去された外科用流体の体積を決定するように構成された、コントローラと、を備える、システム。
【請求項２３】
前記コントローラは、少なくとも、
前記ユーザインターフェースを介して、前記ユーザが前記外科用流体を前記ボウルに追加する予定であるという第１の指示を受信することと、
前記ユーザインターフェースを介して受信された前記第１の指示に続いて、前記重量測定デバイスから、前記ボウルに入れられた前記外科用流体の重量に関する重量測定情報を受信することと、
タイマの期限切れ時にまたは前記ユーザインターフェースを介してのいずれかで、前記ユーザが前記外科用流体を前記ボウルに追加し終えたことを示す第２の指示を受信することと、
前記第１の指示の受信と前記第２の指示の受信との間に前記外科用ボウルに追加された前記外科用流体の重量を決定することと、
前記処置中の測定時間に重量測定情報を前記重量測定デバイスから受信し、その情報から、前記測定時間における前記ボウル内の前記外科用流体の重量を確立することと、
前記ボウルに追加された前記外科用流体の重量と前記測定時間における前記外科用流体の重量との間の差を決定することと、
前記外科用流体の前記決定された重量差及び密度に基づいて、除去された前記外科用流体の体積を決定することと、によって、前記処置中に使用された前記外科用流体の体積を決定するように構成されている、請求項２２に記載のシステム。
【請求項２４】
前記ユーザインターフェースは、第１のユーザ入力を含み、医療ツールを前記ボウルに追加することまたは前記医療ツールを前記ボウルから除去することを選択的に行うようにユーザによって関与可能な第２のユーザ入力をさらに含む、請求項２２又は２３に記載のシステム。
【請求項２５】
前記コントローラは、少なくとも、
前記ボウル及びその中の任意の内容物の重量に関する重量測定情報を前記重量測定デバイスから受信することと、
前記ユーザインターフェースを介して、前記ユーザが医療ツールを前記ボウルに追加するまたは前記医療ツールを前記ボウルから除去する予定であるという第１の指示を受信することと、
前記ユーザインターフェースを介して、前記ユーザが医療ツールを前記ボウルに追加し終えたまたは前記医療ツールを前記ボウルから除去し終えたという第２の指示を受信することと、
前記第２の指示を受信することに続いて、前記ボウル及びその中の任意の内容物の重量に関する重量測定情報を前記重量測定デバイスから受信することと、
前記第２の指示を受信した後に受信された前記重量測定情報を調節して、前記医療ツールを前記ボウルに追加するまたは前記医療ツールを前記ボウルから除去することによって引き起こされた重量変化を打ち消すことと、によって、前記処置中に使用された前記外科用流体の体積を決定するように構成されている、請求項２２〜２４のいずれか１項に記載のシステム。